(57)【特許請求の範囲】
【請求項１】
生体試料格納システムであって、
上部および前記上部と反対側に位置する底部を有する、生体試料を包含する容器と、
前記容器へ添付され得るラベルであって、前記ラベルが、
第１側と、
第２側であって、前記ラベルが前記容器へ前記第２側により添付可能であり、充填ラインインジケータを含む第１可読情報部分と前記第１可読情報部分の上方の、バーコードを含む第２可読情報部分を含む、第２側と、
第１の上端部、実質的に第１の上端部と平行である第２の底端部、第３の端部、及び第４の端部であって、前記第３の端部および第４の端部は、各々第１の端部から第２の端部まで延伸する、第１〜第４の端部と
を含み、
前記第３の端部と前記第４の端部は前記第１の上端部及び前記第２の底端部よりもそれぞれ長く、
前記バーコードインジケータは前記充填ラインインジケータ及び前記第１の上端部との間に位置し、
前記容器の上部は、前記第１の上端部に隣接して位置し、
前記容器の底部は、前記第２の底端部に隣接して位置し、
前記ラベルが前記容器へ添付されることより、前記第１可読情報部分および前記第２可読情報部分の少なくとも一方が前記容器の一部を通じて可読となり、
前記容器に貼付されたラベルと前記充填ラインインジケータまで前記容器内を充填する前記生体試料により、前記第２の可読情報が前記容器の一部を通して可読となる、生体試料格納システム。
【請求項２】
前記容器の少なくとも一部が透明である、請求項１に記載の生体試料格納システム。
【請求項３】
前記第１可読情報部分または前記第２可読情報部分の少なくとも一部が電子的可読情報を含む、請求項１に記載の生体試料格納システム。
【請求項４】
前記第１可読情報部分または前記第２可読情報部分の少なくとも一部が転置インジケータ情報を含む、請求項１に記載の生体試料格納システム。
【請求項５】
前記第１可読情報部分または前記第２可読情報部分の少なくとも一部が溶血インジケータ情報を含む、請求項１に記載の生体試料格納システム。
【請求項６】
前記第１可読情報部分または前記第２可読情報部分の少なくとも一部が採取順インジケータ情報を含む、請求項１に記載の生体試料格納システム。
【請求項７】
前記第１側が外向きの可読情報部分を含む、請求項１に記載の生体試料格納システム。
【請求項８】
前記外向きの可読情報部分の少なくとも一部が時間インジケータを含む、請求項７に記載の生体試料格納システム。
【請求項９】
前記外向きの可読情報部分の少なくとも一部が温度インジケータを含む、請求項７に記載の生体試料格納システム。
【請求項１０】
前記外向きの可読情報部分の少なくとも一部が溶血インジケータを含む、請求項７に記載の生体試料格納システム。
【請求項１１】
前記外向きの可読情報部分の少なくとも一部が機械可読情報を含む、請求項７に記載の生体試料格納システム。
【発明の詳細な説明】
【技術分野】
【０００１】
本開示は、概して生体試料格納システムに関する。より具体的には、本開示は、生体試料格納システムのための識別情報を提供するシステムに関する。
【背景技術】
【０００２】
生体試料取集容器、例えば血液取集容器は医療分野において既知である。生体試料取集容器は、医療専門家により患者から得られる試料を、当該試料が試験される用意ができるか他の目的のために使用されるまで保管するために使用される。
【０００３】
生体試料を取集容器に取集する場合、容器および／または試料が特定の閾値を超える温度にさらされないことが重要である場合が多い。さらに、容器が、製造、出荷、または他の事象に際して特定の時間枠内で使用されることが重要である場合もある。さらに、試料の容器内への取集後どのくらいの時間が経過したかが分かることが重要である場合もある。
【０００４】
さらに、試料および／または容器の他の特徴および／または情報を識別することが医療従事者にとって有用となる場合がある。例えば、試料の完全性を識別すること、試料が混合などの適切な処理を受けたか、または適切な量の試料が集められたかが重要となり得る。
【発明の概要】
【課題を解決するための手段】
【０００５】
本開示は、生体試料を取集するための生体標本取集容器と容器のためのラベルとを含む生体試料格納システムを提供する。一実施形態において、ラベルは、第１側または表側と、可読情報部分を有する第２側または裏側とを含む。ラベルは容器へ第２側により添付可能であり、ラベルが容器へ添付されると、第２側上の可読情報部分が容器の一部を通じて可読となる。有利には、可読情報をラベルの第２側または裏側に含むことにより、ラベルに含まれ得る可読情報の量は、以前は使用されなかったラベルの裏側を使用することにより増加する。
【０００６】
本発明の実施形態によると、生体試料を取集するための容器のためのラベルは、第１側と、可読情報部分を有する第２側とを含み、ラベルは容器へ第２側により添付可能であり、ラベルが容器へ添付されると、第２側上の可読情報部分が容器の一部を通じて可読となる。
【０００７】
一構成において、第２側は第１可読情報部分と第１可読情報部分の上方の第２可読情報部分とを含み、ラベルが容器へ添付されると、第１可読情報部分および第２可読情報部分の少なくとも一方が容器の一部を通じて可読となる。別の構成において、第１可読情報部分の少なくとも一部は充填ラインインジケータであり、第２可読情報部分の少なくとも一部はバーコードである。なお別の構成において、可読情報部分の少なくとも一部は充填ラインインジケータである。一構成において、可読情報部分の少なくとも一部はバーコードである。別の構成において、可読情報部分の少なくとも一部は電子的可読情報を含む。なお別の構成において、可読情報部分の少なくとも一部は転置インジケータを含む。一構成において、可読情報部分の少なくとも一部は溶血インジケータを含む。別の構成において、可読情報部分の少なくとも一部は採取順インジケータを含む。なお別の構成において、第１側は外向きの（ｏｕｔｆａｃｉｎｇ）可読情報部分を含む。一構成において、外向きの可読情報部分の少なくとも一部は時間インジケータを含む。別の構成において、外向きの可読情報部分の少なくとも一部は温度インジケータを含む。なお別の構成において、外向きの可読情報部分の少なくとも一部は溶血インジケータを含む。一構成において、外向きの可読情報部分の少なくとも一部は機械可読情報を含む。別の構成において、第１側は第２側の反対側にある。
【０００８】
本発明の別の実施形態によると、生体試料格納システムは生体試料を包含する容器と、容器へ添付され得るラベルとを含み、ラベルは第１側と、可読情報部分を有する第２側とを含み、ラベルは容器へ第２側により添付可能であり、ラベルが容器へ添付されると、第２側上の可読情報部分が容器の一部を通じて可読となる。
【０００９】
一構成において、第２側は第１可読情報部分と第１可読情報部分の上方の第２可読情報部分とを含み、ラベルが容器へ添付されると、第１可読情報部分および第２可読情報部分の少なくとも一方が容器の一部を通じて可読となる。別の構成において、第１可読情報部分の少なくとも一部は充填ラインインジケータであり、第２可読情報部分の少なくとも一部はバーコードである。なお別の構成において、容器の少なくとも一部は透明である。一構成において、可読情報部分の少なくとも一部は充填ラインインジケータである。別の構成において、可読情報部分の少なくとも一部はバーコードである。なお別の構成において、可読情報部分の少なくとも一部は電子的可読情報を含む。一構成において、可読情報部分の少なくとも一部は転置インジケータを含む。別の構成において、可読情報部分の少なくとも一部は溶血インジケータを含む。なお別の構成において、可読情報部分の少なくとも一部は採取順インジケータを含む。一構成において、第１側は外向きの可読情報部分を含む。別の構成において、外向きの可読情報部分の少なくとも一部は時間インジケータを含む。なお別の構成において、外向きの可読情報部分の少なくとも一部は温度インジケータを含む。一構成において、外向きの可読情報部分の少なくとも一部は溶血インジケータを含む。別の構成において、外向きの可読情報部分の少なくとも一部は機械可読情報を含む。
【００１０】
添付図面と併せて本開示の実施形態の以下の説明を参照することにより、この開示の上記のおよび他の特徴および利点、ならびにそれらを得る方法はより明らかになり、開示自体がよりよく理解される。
【図面の簡単な説明】
【００１１】
【図１】本発明の実施形態による生体試料格納システムの斜視図である。
【図２】本発明の実施形態による生体試料が容器内にある生体試料格納システムの斜視図である。
【図３】本発明の別の実施形態による生体試料格納システムの立面図である。
【図４】本発明の別の実施形態による生体試料格納システムの立面図である。
【図５】本発明の別の実施形態による生体試料格納システムの正面図である。
【図６】本発明の別の実施形態による生体試料格納システムの背面図である。
【図７】本発明の別の実施形態による生体試料格納システムの正面図である。
【図８】本発明の別の実施形態による生体試料格納システムの斜視図である。
【発明を実施するための形態】
【００１２】
対応する参照符号は、複数の図を通して対応する部品を示す。本明細書において提示された例示は開示の例示的な実施形態を示すものであり、このような例示は、いかなる様式においても本開示の範囲を限定するものと解釈されるものでは決してない。
【００１３】
以下の説明は、発明を実施するために想定された説明された実施形態を、当業者が作成するとともに使用することを可能にするために提供される。しかしながら、様々な修正形態、均等物、変形形態、および代替形態が、当業者には引き続き容易に明らかになる。全てのそのような修正形態、変形形態、均等物、および代替形態が、本発明の趣旨および範囲に入ることを意図される。
【００１４】
以下、発明の目的上、「上の方」、「下の方」、「右」、「左」、「垂直」、「水平」、「上部」、「底部」、「横方向」、「長手方向」という用語、およびその派生語は、図において方向付けられたとおりに本発明に関連するものである。しかしながら、別段の明示がある場合を除き、本発明は代替的な変形形態およびステップの順序をとり得ることを理解されたい。添付の図面において示され、以下の明細書で説明される特定のデバイスおよびプロセスは、本発明の単に例示的な実施形態であることも理解されたい。したがって、本明細書において開示される実施形態に関連する特定の寸法および他の物理的特徴は限定するものとみなされるものではない。
【００１５】
図１および図２は、本開示の例示的な実施形態を示す。図１および図２を参照すると、本開示の生体試料格納システム１０は、生体試料１００（図２）を取集するための生体標本取集容器１２と容器１２のためのラベリングシステムまたはラベル２０とを含む。一実施形態において、ラベル２０は、第１側または表側２２と、可読情報部分２６を有する第２側または裏側２４とを含む。ラベル２０は容器１２へ第２側２４により添付可能であり、ラベル２０が容器１２へ添付されると、第２側２４上の可読情報部分２６が容器１２の一部を通じて可読となる。有利には、可読情報をラベル２０の第２側または裏側２４上に含むことにより、ラベル２０に含まれ得る可読情報の量は、以前は使用されなかったラベル２０の裏側を使用することにより増加する。
【００１６】
図１〜２を参照すると、本開示の生体試料１００を取集するための生体標本取集容器１２が示される。一実施形態において、容器１２は標本取集チューブ１４と閉鎖具１６とを含む。標本取集チューブ１４は任意の試料取集チューブまたは容器を含み得る。例えば、標本取集チューブ１４は、血液取集チューブ、化学試料チューブ、凝固試料チューブ、血液試料チューブ、または他の試料チューブを含み得る。一実施形態において、チューブ１４は略円筒形であり、以下の代表的な材料の１つまたは複数でできていてもよい：ポリプロピレン、ポリエチレンテレフタレート（ＰＥＴ）、ガラス、またはこれらの組合せ。他の実施形態において、生体標本取集容器１２は異なる形状、すなわち円筒形以外の容器を含んでもよく、場合により、チューブでなくてもよい。例えば、生体標本取集容器１２は取集カップ、バッグ、または他の容器を含んでもよい。一実施形態において、閉鎖具１６は再封可能なエラストマー系ポリマーでできていてもよく、さらに、再封可能なエラストマー系ポリマーと一体化されたポリマーキャップを含んでもよい。
【００１７】
生体標本取集容器１２は、血液などの生体標本１００を受け入れるよう適合される容器内部８６を画定する、開口上端部８０と、閉鎖底端部８２と、それらの間に延在する側壁８４とを含み得る。閉鎖具１６は標本取集容器１２の開口上端部８０を覆うことができる。いくつかの実施形態において、標本取集容器１２は、ガラスおよび／またはポリマー組成物で形成された単層容器であってもよい。他の実施形態において、標本取集容器１２は、第２の標本取集容器が容器内部８６内に配置されるチューブ−イン−チューブ構成を含み得る。一実施形態において、容器１２の少なくとも一部は透明である。例えば、容器１２の側壁８４は透明であってもよい。
【００１８】
一実施形態において、標本取集チューブ１４内に集められる生体標本または試料１００は血液であり得る。他の実施形態において、他の任意の生体標本または試料が、血液取集チューブ、化学試料チューブ、凝固試料チューブ、血液試料チューブ、または他の試料チューブのうちの１つを使用することにより集められ得る。
【００１９】
図１および図２を参照すると、本開示の生体試料格納システム１０は容器１２のためのラベリングシステムまたはラベル２０を含む。一実施形態において、ラベル２０は、第１側または表側２２と、可読情報部分２６を有する第２側または裏側２４とを含む。ラベル２０は容器１２へ第２側２４により添付可能であり、ラベル２０が容器１２へ添付されると、第２側２４上の可読情報部分２６が容器１２の一部を通じて可読となる。有利には、ラベル２０の第２側２４上に可読情報を含むことにより、ラベル２０に含まれ得る可読情報の量が、以前は使用されなかったラベル２０の裏側を使用することにより増加する。ラベル２０の第１側２２はラベル２０の第２側２４の反対側にある。
【００２０】
一実施形態において、ラベル２０の第２側２４は、第１可読情報部分３０と、第１可読情報部分３０の上方に位置する第２可読情報部分３２とを含む。このような実施形態において、ラベル２０が容器１２へ添付されると、第１可読情報部分３０および第２可読情報部分３２の少なくとも１つが容器１２の一部を通じて可読となる。図１および図２を参照すると、一実施形態において、第１可読情報部分３０の少なくとも一部は充填範囲インジケータまたは充填ラインインジケータ３４であり、第２可読情報部分３２の少なくとも一部はバーコード３６である。図２を参照すると、充填ラインインジケータ３４の上方に位置するバーコード３６を有することにより、生体試料１００が容器１２内の充填ラインインジケータ３４まで充填された状態で、バーコード３６が医療従事者または実験用機器により読み取られ得る。
【００２１】
一実施形態において、バーコード３６は様々な異なるタイプのインクで印刷され得る。例えば、バーコード３６は、通常のインク、ＵＶ蛍光性インク、ＩＲインク、金属インク、放射性インク、および／または水接触インクで印刷され得る。
【００２２】
一実施形態において、情報をラベル２０へ与えるために熱エネルギー源が使用されてもよい。例えば、情報および／またはバーコードをラベル２０の第１側２２および／または第２側２４へ印刷するのに熱インクが使用されてもよい。
【００２３】
一実施形態において、充填ラインインジケータ３４は、何らかの形の予め印刷された印または形状が明確な印、例えば黒色実線インジケータ部分もしくは切り込み、切欠き、または可視穿孔部分を含み得る。このような部分の色、陰影、模様、および形状は各々がユーザにより認識可能である限り様々であってよい。図８を参照すると、一実施形態において、充填ラインインジケータ３４は、充填ラインインジケータ３４の底部境界に位置する低充填インジケータ６０と、充填ラインインジケータ３４の上の方の境界に位置する高充填インジケータ６２とを含む。他の実施形態においては、低充填インジケータ６０または高充填インジケータ６２のいずれか１つが用いられ得る。低充填インジケータ６０および高充填インジケータ６２は、患者の静脈血液などの試料源から試料を採取するための下限および上限を設定し、その結果、特定の試験を達成するために、ならびに十分な試薬対試料混合比および適切な遠心分離考察または諸条件を達成するために十分な量の試料が集められる。別の実施形態において、「充填」という言葉またはインジケータの目的を示すいくつかの他の言葉がインジケータ領域において表示され得る。高充填、低充填、および汎用充填インジケータは、各限度の境界を含み得るか、任意選択的には、必要な充填範囲に対応した充填されたまたは空にされた空き領域を含み得る。特定の容器について、必要な充填範囲は、適切な試料対添加剤比を確実にするよう使用前または製造時点で容器内に配置される試薬または添加剤の量と相関し得る。充填ラインインジケータは、ユーザが、容器１２の略透明の側壁８４の一部を通じて見ることにより、患者から容器１２内へ集められる試料のレベルまたは量を読み取り得るように、ラベル２０の一部上に配置され得る。
【００２４】
一実施形態において、ラベル２０の第１側２２は外向きの可読情報部分４０を含む。ラベル２０の第１可読情報部分３０、第２可読情報部分３２、および／または外向きの可読情報部分４０は、医療従事者にとって有用となり得る試料および／または容器の任意の情報識別特徴を含み得る。例えば、情報は、試料の完全性、試料が適切な処理を受けてきたか、適切な量の試料が集められているか、または容器１２と相互作用する実験器具または他のデバイスにとって重要な情報に特有の情報を包含する情報を識別する。
【００２５】
さらに、情報は、容器および／もしくは試料がさらされ得る最高温度、製造、出荷、または他の事象に際して容器および／もしくは試料が使用され得る時間枠、または試料の容器内への取集後どのくらいの時間が経過したかに関連し得る。
【００２６】
例えば、ラベル２０の第１可読情報部分３０、第２可読情報部分３２、および／または外向きの可読情報部分４０は、充填範囲インジケータ、低充填インジケータ、高充填インジケータ、溶血インジケータ、時間インジケータ、温度インジケータ、または医療従事者にとって有用となり得る試料および／または容器の他の情報識別特徴を含み得る。
【００２７】
一実施形態において、第１可読情報部分３０の少なくとも一部、第２可読情報部分３２の少なくとも一部、および／または外向きの可読情報部分４０の少なくとも一部は電子的可読情報および／または機械可読情報を含む。例えば、一実施形態において、ラベル２０の一部に含まれるのは、各容器に固有であるか任意選択的に容器のサブセットに固有のバーコードまたはいくつかの他の機械可読データである。そのような情報はまた、例えば容器製造者情報、容器のタイプ、意図された抽出サイズ情報などの容器に関する追加的なデータの保管のために使用され得る。さらに、患者に特有の、試験に特有の、または他の用途に特有の情報が例えば電子的に記憶され、容器の固有の識別子と関連付けられ得る。
【００２８】
ラベル２０の第１可読情報部分３０、第２可読情報部分３２、および／または外向きの可読情報部分４０は、容器に関連する情報を提供する無線周波数識別（ＲＦＩＤ）タグを含み得る。ＲＦＩＤタグは容器の固有の識別を可能にする。このようなＲＦＩＤタグは、電子デバイスがタグから識別情報を受け取るためのいくつかのタイプの読取り／走査機構を有しており、本質的に受動的であり得る。別の実施形態において、タグは本質的に能動的であり、電子デバイスは、タグによってまたはタグから生じる信号を受けるために使用される。本発明の実施形態によると、タグは、書き込み可能、読み取り可能、または両方であり得る。このようなシステムにより、機械可読情報または人間が可読の情報を有するより従来のタイプのラベリングの必要性は、補完され得るまたは無くされ得る。
【００２９】
ラベル２０の第１可読情報部分３０、第２可読情報部分３２、および／または外向きの可読情報部分４０は、ラベル２０および容器１２がさらされる最高温度の監視に関する情報を含み得る。別の実施形態において、ラベル２０は、ラベル２０および容器１２が光および／または空気へさらされたときの温度の監視に関する情報を含み得る。
【００３０】
ラベル２０の第１可読情報部分３０、第２可読情報部分３２、および／または外向きの可読情報部分４０は、時間および温度保存期間インジケータ５４、５６に関連する情報（図７）を含むことができ、時間および温度保存期間インジケータ５４、５６は、試料を採取する、試料を試験する、または試料取集プロセスおよび試験プロセスにおけるいくつかの他のポイントの前に容器が「期限切れ」しているかどうか、ユーザが容易に観察することを可能にし、再採取または不必要もしくは不正確な試験を減らす。
【００３１】
図１および６を参照すると、ラベル２０の一部は、適切な回数の混合および適切な長さの混合時間が実施されることを確実にする混合インジケータまたは転置インジケータ５０に関する情報を含み得る。十分な混合は試料の完全性、品質、および信頼性を向上させる。一実施形態において、混合を代表する動きが識別、記録、および出力され得るように、加速度計が容器１２に組み込まれ得る。出力はユーザに対して視覚的に明らかである形状であってもよく、または任意選択的に、出力がチューブから離れたデバイス、すなわちハンドヘルドスキャナからの読取りにより調べられ得るように、目立たなくてもよい。
【００３２】
図１〜８を参照すると、ラベル２０の第１可読情報部分３０、第２可読情報部分３２、および／または外向きの可読情報部分４０は、チャートまたはスケールの形をとり得る溶血インジケータ５２に関連する情報を含み得る。溶血すなわち赤血球の細胞膜の破壊のレベルを測定するための一方法は、血液試料の全てまたは一部の色を視覚的に識別することである。例えば、多くの場合において、血液試料のためのヘマトクリットの上方にある血清の陰は一般的な定性的溶血レベル、例えばゼロ、微量（または僅か）、中程度、および強度（または重度）を示す。このような表示は、溶血スケールに関連しそれに印刷された異なる溶血レベル用語を有する血液格納デバイス上にカラースケールを含むことにより表され得る。溶血の測定レベルを伝えるために含まれ得るスケール／用語のいくつかの例は以下の通りである：０、＋１、＋２、および＋３スケール、０、１＋、２＋、および３＋スケール、０、１、２、および３スケール、０、＋、＋＋、および＋＋＋スケール、またはゼロ、微量、＋、＋＋、および＋＋＋スケール。溶血を示すカラースケールは淡黄色から暗い赤みがかったオレンジにわたる。Ｐａｎｔｏｍｅカラースキームがローカラーインジケータとハイカラーインジケータとの間の分散を表すのに選択され得る。溶血レベルの他の表示も提供され得る。
【００３３】
図１を参照すると、ラベル２０の第１可読情報部分３０、第２可読情報部分３２、および／または外向きの可読情報部分４０は、採取順インジケータ５８に関連する情報を含み得る。
【００３４】
図６を参照すると、一実施形態において、ラベル２０の第２側２４は、第１情報領域９１と、第２情報領域９２と、第３情報領域９４と、第４情報領域９６と、第５情報領域９８とを含む。情報領域は上述の識別情報のいずれかを含み得る。他の実施形態において、ラベル２０のいずれの部分も、上述の識別情報のいずれかを提供するように構成される任意の向きおよび／または数の情報領域を含み得る。
【００３５】
一実施形態において、ラベル２０のいずれの部分も、製造カタログ番号、識別可能バーコード、保存期間、ロット識別番号、容器に特有の識別子、容器内に置かれることを意図されたもしくは既に置かれている試料に特有の情報、および／または病院にいる患者に特有の情報のうちの少なくとも１つに関連する情報を含み得る。
【００３６】
図３および図４は他の例示的な実施形態を示す。図３および図４に示される実施形態は図１および図２に示される実施形態と同様の構成要素を含み、同様の構成要素は、文字ＡおよびＢが後に付く参照符号により表示される。簡潔さのために、これらの同様の構成要素ならびに生体試料格納システム１０Ａ（図３）および生体試料格納システム１０Ｂ（図４）を使用する同様のステップは、全てが必ずしも図３および図４に示される実施形態との関連において検討されるわけではない。
【００３７】
図３を参照すると、生体試料格納システム１０Ａは引き剥がし部分６６を含む容器１２Ａのためのラベル２０Ａを含む。このような実施形態において、引き剥がし部分６６は、充填ラインインジケータまたは透明な部分６８が露出されるように除去され得る。
【００３８】
図４を参照すると、生体試料格納システム１０Ｂは、不可視のバーコードラベル７６をラベル２０Ｂの裏面７８上に含む容器１２Ｂのためのラベル２０Ｂを含む。このような実施形態において、情報を読み取るとともに用いるために、カメラ認識システムが不可視のバーコードラベル７６とともに使用されてもよい。
【００３９】
この開示は例示的な設計を有するとして説明されたが、本開示はこの開示の趣旨および範囲内でさらに修正され得る。この出願は、したがって、本開示の一般的原理を利用した、本開示の任意の変形形態、使用、または適合形態をカバーすることを意図される。さらに、この出願は、本開示からのこのような逸脱形態を、この開示が関連するとともに添付の請求項の限度内に入る、当該技術分野において既知または一般的なやり方に該当するものとしてカバーすることを意図される。
【図１】
0006678640.tif 000002
【図２】
0006678640.tif 000003
【図３】
0006678640.tif 000004
【図４】
0006678640.tif 000005
【図５】
0006678640.tif 000006
【図６】
0006678640.tif 000007
【図７】
0006678640.tif 000008
【図８】
0006678640.tif 000009